(57)【要約】【課題】不正行為による遊技球の獲得を完全に阻止する。【解決手段】パチンコ機１０の背面に、島設備９から供給される遊技球を貯留する貯留タンク２４を設け、前面に受け皿２２を設ける。パチンコ機本体１１内に、貯留タンク２４内の遊技球を受け皿２２に案内する案内通路２５を設ける。案内通路２５の途中に、遊技球を払い出す払出装置２６を設ける。案内通路２５における払出装置２６の下流側に、球回収設備９ｂに接続した排出通路２７を接続する。案内通路２５と排出通路２７との分岐点に切替弁３２を設ける。不正行為が検知されたときに、遊技球を排出通路２７へ案内するように切替弁３２を切り替えるとともに、島設備９から貯留タンク２４への遊技球の供給を遮断する。払出装置２６を作動させて、貯留タンク２４内及び案内通路２５内の遊技球を全て球回収設備９ｂに回収させる。【選択図】図３
2011024798.tif 000002
【特許請求の範囲】
【請求項１】
パチンコ機本体の背面側に設けられ、パチンコ機が配設される島設備から供給される遊技球を貯留する貯留タンクと、前記パチンコ機本体内に設けられ、前記貯留タンクに貯留された遊技球を、パチンコ機本体の前面側に設けられた受け皿に案内する案内通路と、前記案内通路に設けられ、遊技球が入賞口に入賞したときに、所定個数の遊技球を前記受け皿に向けて払い出す払出手段とを備えるパチンコ機において、
前記払出手段の下流側で前記案内通路から分岐され、前記払出手段から排出された遊技球を前記島設備に戻すための排出通路と、
前記案内通路及び前記排出通路の分岐点に設けられ、前記分岐点の上流側から流下してくる遊技球を前記案内通路に案内する第１位置、及び前記排出通路に案内する第２位置に選択的に切替可能な切替弁と、
遊技上の利益を不正に取得する不正行為が行われた否かを検知する不正行為検知手段と、
前記不正行為検知手段により不正行為が検知されるまでは前記切替弁を前記第１位置に切り替え、不正行為が検知されたときに前記切替弁を前記第２位置へ切り替える切替制御手段と、
前記不正行為が検知されたときに、前記島設備から前記貯留タンクへの遊技球の供給を遮断する遮断手段と、
前記不正行為が検知されたときに、前記貯留タンク内及び前記払出手段よりも上流側の前記案内通路内の全遊技球を、前記払出手段がその下流側に排出するように当該払出手段を制御する払出制御手段と、
を備えることを特徴とするパチンコ機。
【発明の詳細な説明】
【技術分野】
【０００１】
本発明は、不正行為防止機能を有するパチンコ機に関するものである。
【背景技術】
【０００２】
パチンコ店などの遊技場の遊技設備は、遊技者が遊技を楽しむためのパチンコ機と、それを設置するためのいわゆる島設備とからなり、複数台のパチンコ機が島設備に並べられて設置されている（特許文献１参照）。パチンコ機は、遊技を行って入賞が発生した場合などに、パチンコ機本体の前面に設けられた受け皿に所定個数の遊技球を払い出す。受け皿に払い出される遊技球は、パチンコ機の背面に設けられた貯留タンクに貯留されている。貯留タンク内の遊技球は、この貯留タンクの下面に接続された案内通路を流下して、払出装置へと導かれる。払出装置は、入賞が発生した場合などに作動して遊技球を受け皿に払い出す。
【０００３】
ところで、旧来から遊技上の利益を不正に取得する不正行為、例えば、磁石を用いて遊技球を入賞口に導くいわゆる磁石ゴトを行って、不正に利益を得ようとする者がいる。このような不正行為を防止するため、特許文献２には、不正行為が検知されたときに、遊技媒体を遊技機本体内における受け皿以外の場所（格納タンク）に案内するとともに、島設備から貯留タンクへの遊技媒体の供給を妨げるようにした遊技機が記載されている。
【先行技術文献】
【特許文献】
【０００４】
【特許文献１】特開２００５−１６０８８１号公報
【特許文献２】特開２００７−２３６５０６号公報
【発明の概要】
【発明が解決しようとする課題】
【０００５】
ところで、特許文献２の遊技機では、不正行為が検知されたときに、遊技機内の受け皿とは別の格納タンクに遊技球を案内しているが、いずれ格納タンクから遊技球が溢れてしまうという問題がある。さらに、特許文献２の遊技機では、貯留タンク内に若干の遊技媒体が残るおそれがあり、この場合には、残った遊技媒体が不正行為者（ゴト師）に獲得されるおそれがある。
【０００６】
本発明は上記問題を解決するためになされたものであり、不正行為が検知されたときに貯留タンク及びパチンコ機内の遊技球を全て排出可能にしたパチンコ機を提供することを目的とする。
【課題を解決するための手段】
【０００７】
上記目的を達成するため、本発明は、パチンコ機本体の背面側に設けられ、パチンコ機が配設される島設備から供給される遊技球を貯留する貯留タンクと、前記パチンコ機本体内に設けられ、前記貯留タンクに貯留された遊技球を、パチンコ機本体の前面側に設けられた受け皿に案内する案内通路と、前記案内通路に設けられ、遊技球が入賞口に入賞したときに、所定個数の遊技球を前記受け皿に向けて払い出す払出手段とを備えるパチンコ機において、前記払出手段の下流側で前記案内通路から分岐され、前記払出手段から排出された遊技球を前記島設備に戻すための排出通路と、前記案内通路及び前記排出通路の分岐点に設けられ、前記分岐点の上流側から流下してくる遊技球を前記案内通路に案内する第１位置、及び前記排出通路に案内する第２位置に選択的に切替可能な切替弁と、遊技上の利益を不正に取得する不正行為が行われた否かを検知する不正行為検知手段と、前記不正行為検知手段により不正行為が検知されるまでは前記切替弁を前記第１位置に切り替え、不正行為が検知されたときに前記切替弁を前記第２位置へ切り替える切替制御手段と、前記不正行為が検知されたときに、前記島設備から前記貯留タンクへの遊技球の供給を遮断する遮断手段と、前記不正行為が検知されたときに、前記貯留タンク内及び前記払出手段の上流側の前記案内通路内の全遊技球を、前記払出手段がその下流側に排出するように当該払出手段を制御する払出制御手段と、を備えることを特徴とする。
【発明の効果】
【０００８】
本発明のパチンコ機は、不正行為が検知されたときに、貯留タンク内及び払出手段の上流側の案内通路内の全遊技球を排出通路へ送るとともに、島設備から貯留タンクへの遊技球の供給を遮断するようにしたので、貯留タンク及びパチンコ機本体内の遊技球を全て島設備へ排出することができ、さらに遊技球が全て排出された状態を維持することができる。その結果、不正行為による遊技球の獲得を完全に阻止することができる。
【図面の簡単な説明】
【０００９】
【図１】島設備に配設されたパチンコ機の斜視図である。
【図２】前面扉が開放されているパチンコ機の斜視図である。
【図３】パチンコ機本体内における遊技球の移動経路（案内通路、払出装置、及び排出通路）を説明するための説明図である。
【図４】賞球払出位置（Ａ）と、球抜き位置（Ｂ）とに切替可能な切替弁を説明するための説明図である。
【図５】収納位置（Ａ）と、突出位置（Ｂ）とにスライド移動可能なシャッタ板を説明するための説明図である。
【図６】パチンコ機の電気的構成を示すブロック図である。
【図７】パチンコ機１０における不正行為の防止処理の流れを示したフローチャートである。
【発明を実施するための形態】
【００１０】
図１に示すように、パチンコ店などの遊技場に設けられる遊技設備は、島設備９と、この島設備９に取り付けられたパチンコ機１０とで構成されている。なお、図中では島設備９に１台のパチンコ機が取り付けられる構成になっているが、複数のパチンコ機１０が取り付けられていてもよい。島設備９は、パチンコ機１０に遊技球を供給するとともに、パチンコ機１０のメンテナンス時や後述する不正行為検知時などに、パチンコ機１０から排出された遊技球を回収する。
【００１１】
パチンコ機１０は、パチンコ機本体１１と、パチンコ機本体１１の前面に回動自在に取り付けられた前面扉１２と、パチンコ機本体１１の内部に取り付けられた遊技盤１３とを備えている。遊技盤１３の盤面上には遊技領域１３ａが形成されており、打ち出された遊技球は遊技領域１３ａを流下する。遊技領域１３ａには始動入賞口１４と通常入賞口１５とが設けられている。遊技球が各入賞口１４，１５に入賞すると予め決められた個数の遊技球が賞球として払い出される。
【００１２】
始動入賞口１４に遊技球が入賞すると、当たりまたはハズレを決定する当たり抽選が行われる。この当たり抽選に当選すると、遊技領域１３ａの下方に設けられたアタッカ１６が所定回数開放される大当たりゲームが実行される。アタッカ１６が開放されると、遊技球の大半がその内面で大入賞口に案内され、多数の賞球を得ることができる。
【００１３】
遊技領域１３ａの略中央部には、センター役物１７が設けられている。センター役物１７には、液晶ディスプレイ（以下、ＬＣＤという）１８が組み込まれている。ＬＣＤ１８の画面には、当たり抽選の結果を表示する図柄や演出画像などの各種画像が表示される。前面扉１２の前面下部には、遊技球を遊技領域１３ａに発射するときに回動操作する発射ハンドル２０や、払出し口２１から払い出された遊技球を貯留する受け皿２２が設けられている。
【００１４】
前面扉１２を開放し、かつ遊技盤１３を取り外した状態を示す図２において、パチンコ機本体１１の背面上部には、島設備９の球供給装置９ａ（図５参照）から供給される遊技球を貯留する貯留タンク２４が設けられている。この貯留タンク２４の底面には、遊技球の排出口が形成されている。パチンコ機本体１１内における遊技盤１３の背面側には、貯留タンク２４内の遊技球を受け皿２２に払い出すための案内通路２５と払出装置（払出手段）２６とが設けられているとともに、遊技球を島設備９へ排出するための排出通路２７が設けられている。なお、遊技盤１３の背面側には、図示は省略するが各種制御基板等が設けられている。
【００１５】
図３に示すように、案内通路２５は、貯留タンク２４に貯留された遊技球を受け皿２２に案内する。案内通路２５は、下り傾斜した下り傾斜部と、略鉛直下方に延びた鉛直部とから構成されている。この案内通路２５の一端部は、貯留タンク２４の排出口に接続している。また、案内通路２５の他端部の開口部は、払出し口２１に接続している。
【００１６】
払出装置２６は、案内通路２５の途中に設けられており、始動入賞口１４や通常入賞口１５等の各入賞口に遊技球が入賞した際に作動して、規定数の遊技球を賞球として払い出す。この払出装置２６は、鉛直方向に延びた筒状の装置本体２６ａと、この装置本体２６ａ内に収納されたスプロケット２８とから構成されている。装置本体２６ａの上面には、貯留タンク２４から案内通路２５を介して供給される遊技球を受け入れる受入口が形成されている。また、装置本体２６ａの底面には、遊技球の排出口が形成されており、この排出口には案内通路２５が接続している。
【００１７】
スプロケット２８は、略円板形状を有しており、その外周面には球受け部が等間隔で形成されている。スプロケット２８は、例えばモータ、ギヤ等からなるスプロケット駆動機構３０（図６参照）により回転される。スプロケット２８は、回転しながら装置本体２６ａ内に貯留された遊技球（例えば１０個〜１２個）を球受け部に一球ずつ受けて一旦収容するとともに、収容された遊技球を通路下流側へ１球ずつ送り出す。スプロケット２８の回転を制御することで、払出装置２６から払い出す遊技球の数を制御することができる。
【００１８】
排出通路２７は、案内通路２５における払出装置２６の下流側から分岐されており、島設備９の球回収装置９ｂに接続している。排出通路２７は、貯留タンク２４内やパチンコ機本体１１内の遊技球を球回収装置９ｂへ排出するための通路である。球回収装置９ｂで回収された遊技球は、島設備９内で洗浄された後、球供給装置９ａから貯留タンク２４へ供給される。
【００１９】
案内通路２５における排出通路２７との分岐点の下流側には、賞球センサ３１が設けられている。賞球センサ３１は、遊技球が通過するたびに球検知信号をＣＰＵ４１（図６参照）へ出力する。
【００２０】
案内通路２５と排出通路２７との分岐点には、切替弁３２が設けられている。切替弁３２は、図４（Ａ）に示すように分岐点の上流側から流下してくる遊技球を案内通路２５に案内する賞球払出位置（第１位置）と、（Ｂ）に示すように排出通路２７に案内する球抜き位置（第２位置）とに選択的に切替可能である。切替弁３２の切り替えは、例えばモータやギヤなどから構成される弁駆動機構３３（図６参照）により制御される。
【００２１】
図５（Ａ），（Ｂ）に示すように、パチンコ機本体１１の上端部には、シャッタ板３５がスライド移動自在に取り付けられている。このシャッタ板３５は、パチンコ機本体１１の後方に向けて下り傾斜となっている。
【００２２】
シャッタ板３５は、パチンコ機本体１１内に収納された収納位置と、パチンコ機本体１１からその後方に突出した突出位置との間でスライド移動可能である。（Ａ）に示すように、収納位置は、シャッタ板３５が球供給装置９ａによる貯留タンク２４への遊技球の供給を妨げない位置である。また、（Ｂ）に示すように、突出位置は、シャッタ板３５が貯留タンク２４の上面（開口部）を覆うことにより、球供給装置９ａから貯留タンク２４への遊技球の供給を遮断する位置である。シャッタ板３５のスライド移動は、例えばモータ、ギヤ等からなるシャッタ駆動機構３６（図６参照）により制御される。
【００２３】
図６に示すように、パチンコ機１０の各部の動作は、メイン制御基板３８とサブ制御基板３９とにより制御される。メイン制御基板３８は、パチンコ機１０の出玉に関する制御（当たり抽選、賞球の払い出し、アタッカ１６の駆動等）を行う。サブ制御基板３９は、メイン制御基板３８からの指令を受けてＬＣＤ１８の動作を制御することで、演出画像表示などのパチンコ機１０の演出に係る制御を行う。
【００２４】
メイン制御基板３８には、ＣＰＵ４１とメモリ４２とが設けられている。ＣＰＵ４１は、メモリ４２のＲＯＭ領域に格納された各種プログラムを読み出して実行することにより、出玉に関する制御を含むパチンコ機１０の基本的な動作に係る処理を行う。メモリ４２のＲＡＭ領域は、毎回の遊技ごとに利用されるフラグやデータなどの一時的保管や書き換えなどに用いられる。
【００２５】
ＣＰＵ４１には、上述のスプロケット駆動機構３０、賞球センサ３１、弁駆動機構３３、シャッタ駆動機構３６の他に、始動入賞センサ４４、通常入賞センサ４５、大入賞口センサ４６、アタッカ駆動機構４７、磁力検知センサ（不正行為検知手段）４８、振動検知センサ（不正行為検知手段）４９等が接続されている。通常入賞センサ４５、始動入賞センサ４４、及び大入賞口センサ４６は、それぞれ始動入賞口１４、通常入賞口１５、大入賞口（図示せず）に入賞した遊技球を検知し、検知信号をＣＰＵ４１に送る。
【００２６】
アタッカ駆動機構４７は、当たり抽選で当選役に当選した時に、アタッカ１６を規定回数だけ開放させる。遊技球発射装置５０は、図示しない発射制御基板により制御され、発射ハンドル２０の回動操作が行われた時に遊技領域１３ａに遊技球を１球ずつ発射する。
【００２７】
磁力検知センサ４８は、例えば遊技盤１３の背面に設けられている、あるいは遊技盤１３の盤面に埋設されている。なお、磁力検知センサ４８の取り付け位置・個数は特に限定されない。磁力検知センサ４８は、パチンコ機１０の外部から磁石等によって遊技領域１３ａ上の遊技球に印加される磁力（例えば遊技領域１３ａを流下する遊技球が始動入賞口１４等に入賞するように、遊技球に印加された磁力）を検知して、磁力検知信号をＣＰＵ４１へ出力する。
【００２８】
振動検知センサ４９は、磁力検知センサ４８と同様に、例えば遊技盤１３の背面に設けられている、あるいは遊技盤１３の盤面に埋設されている。なお、振動検知センサ４９の取り付け位置・個数も特に限定されない。この振動検知センサ４９は、パチンコ機１０に外部から加えられた振動（例えば、遊技領域１３ａを流下する遊技球が始動入賞口１４等に入賞するように、パチンコ機１０を故意に叩くことにより、パチンコ機１０に加えられた振動）を検知して、振動検知信号をＣＰＵ４１へ出力する。
【００２９】
ＣＰＵ４１は、各センサ３１，４４〜４７，４８，４９から入力される信号等に基づいて、メモリ４２から読み出した各種プログラムやデータを逐次実行することで、当たり抽選部５２、停止図柄抽選部５３、賞球払出制御部（払出制御手段）５４、払出球数カウント部（不正行為検知手段）５５、不正行為判定部５６、弁切替制御部（切替制御手段）５７、シャッタ駆動制御部５８として機能する。
【００３０】
当たり抽選部５２は、始動入賞センサ４４からの検知信号がＣＰＵ４１に入力された時に、乱数を利用した当たり抽選を行い、当たり（当選役）またはハズレを決定する。当たり抽選では、その抽選時に抽出された乱数が当たり判定テーブルと比較され、抽出された乱数が当たり乱数か否かを判定することで当たりか否かが決定される。停止図柄抽選部５３は、当たり抽選の結果に応じて乱数を利用した停止図柄抽選を行い、図柄の変動表示後に停止させる図柄の組み合わせを決定する。
【００３１】
賞球払出制御部５４は、各入賞口１４，１５（大入賞口も含む）に遊技球が入賞したときに、スプロケット駆動機構３０を作動させてスプロケット２８を回転させることにより、払出装置２６から規定数の遊技球を賞球として払い出させる。そして、賞球払出制御部５４は、規定数の賞球の払い出しが完了したときに、スプロケット２８の回転を停止させる。
【００３２】
払出球数カウント部５５は、賞球センサ３１から出力される球検知信号に基づき、例えば１分間当たりに賞球として払い出される遊技球の数をカウントする。このカウント結果は、不正行為判定部５６に出力される。
【００３３】
不正行為判定部５６は、磁力検知センサ４８から入力される磁力検知信号、振動検知センサから入力される振動検知信号、及び払出球数カウント部５５から入力されるカウント結果に基づき、不正行為（ゴト行為）が行われたか否かを判定する。不正行為判定部５６は、パチンコ機１０（遊技盤１３）に加えられた磁力または振動の大きさがそれぞれ所定のしきい値を超えたときに、不正行為が行われていると判定する。
【００３４】
また、不正行為判定部５６は、払出球数カウント部５５からのカウント結果に基づき、遊技釘に対する不正行為（遊技釘を折り曲げるなどの遊技釘の植設状態を変更する行為であり、いわゆる釘曲げ）が行われたか否かを判定する。具体的には、通常時のカウント結果が例えば１５〜３０個であるので、不正行為判定部５６は、カウント結果が５０個を超えたときに不正行為が行われたと判定する。
【００３５】
このように不正行為判定部５６は、外部から加えられた磁力がしきい値を超えた場合、外部から加えられた振動の大きさがしきい値を超えた場合、１分間当たりの賞球の払出し数が５０個を超えた場合の少なくともいずれか一つの条件が満たされたときに、不正行為が行われていると判定する。
【００３６】
弁切替制御部５７は、不正行為判定部５６の判定結果に基づき、弁駆動機構３３を制御して、切替弁３２を賞球払出位置と球抜き位置とのいずれかに選択的に切り替える。弁切替制御部５７は、不正行為が行われたと判定されるまでは、弁駆動機構３３を制御して切替弁３２を賞球払出位置にセットさせる。そして、弁切替制御部５７は、不正行為が行われたと判定されたときに、弁駆動機構３３を制御して切替弁３２を球抜き位置にセットさせる。
【００３７】
シャッタ駆動制御部５８は、不正行為判定部５６の判定結果に基づき、シャッタ駆動機構３６を制御して、シャッタ板３５を収納位置と突出位置とのいずれかに選択的に移動させる。弁切替制御部５７は、不正行為が行われていると判定されるまでは、シャッタ駆動機構３６を制御してシャッタ板３５を収納位置にセットさせる。そして、シャッタ駆動制御部５８は、不正行為が行われたと判定されたときに、シャッタ駆動機構３６を制御してシャッタ板３５を突出位置に移動させる。
【００３８】
また、上述の賞球払出制御部５４は、不正行為が行われていると判定されて、切替弁３２及びシャッタ板３５がそれぞれ球抜き位置、突出位置にセットされたときに、スプロケット駆動機構３０を作動させてスプロケット２８を回転させる。これにより、貯留タンク２４内及びパチンコ機本体１１（払出装置２６の上流側の案内通路２５）内の遊技球が払出装置２６から強制的に排出される。このスプロケット２８の回転は、パチンコ店の店員が所定の停止操作を行うまで、あるいは貯留タンク２４内及びパチンコ機本体１１内の遊技球が全て排出されるのに十分な時間が経過するまで継続する。
【００３９】
次に、図７のフローチャートを用いて、上記構成のパチンコ機１０における不正行為の防止処理の流れについて説明を行う。店員がパチンコ機１０の電源をＯＮすると、ＣＰＵ４１からの指令に基づき、磁力検知センサ４８による磁力の測定と、振動検知センサ４９による振動の測定とがそれぞれ開始される。また、電源ＯＮ時には、切替弁３２及びシャッタ板３５は、それぞれ賞球払出位置、収納位置にセットされている。
【００４０】
遊技者がパチンコ機１０の発射ハンドル２０を回動操作すると、遊技球が１球ずつ遊技領域１３ａに発射され、遊技がスタートする。遊技球が始動入賞口１４や通常入賞口１５に入賞した場合、始動入賞センサ４４、通常入賞センサ４５からＣＰＵ４１へ検知信号が出力される。なお、始動入賞口１４に遊技球が入賞した場合には当たり抽選が行われ、さらに当たり抽選に当選した場合は、大当たりゲームが実行される。
【００４１】
賞球払出制御部５４は、各入賞センサから検知信号が入力されたときに、スプロケット駆動機構３０を制御してスプロケット２８を回転させることにより、払出装置２６から規定数の遊技球を賞球として払い出させる。払出装置２６から払い出された遊技球は、切替弁３２により案内通路２５の下流側に案内され後、払出し口２１から受け皿２２に払い出される。
【００４２】
この際に、賞球センサ３１は、遊技球が通過するたびに球検知信号をＣＰＵ４１へ出力する。そして、払出球数カウント部５５は、賞球センサ３１からの球検知信号に基づき、１分間当たりに賞球として払い出される遊技球の数をカウントし、このカウント結果を不正行為判定部５６に出力する。
【００４３】
不正行為判定部５６は、磁力検知センサ４８からの磁力検知信号、振動検知センサ４９からの振動検知信号、及び払出球数カウント部５５からのカウント結果に基づき、外部から加えられた磁力がしきい値を超えたか否か、外部から加えられた振動の大きさがしきい値を超えたか否か、１分間当たりの賞球の払出し数が５０個を超えたか否かをそれぞれ判定する。そして、不正行為判定部５６は、これらの条件がいずれも満たされない場合は、不正行為は行われていないと判定する。この場合は、遊技が終了するまで上述の処理が繰り返される。
【００４４】
逆に、不正行為判定部５６は、上述の各条件の少なくともいずれか一つが満たされたときは、不正行為が行われていると判定する。不正行為判定部５６により不正行為が行われているとの判定がなされると、弁切替制御部５７は、弁駆動機構３３を制御して、切替弁３２を賞球払出位置から球抜き位置に切り替える。
【００４５】
また、これと同時に、シャッタ駆動制御部５８は、シャッタ駆動機構３６を制御して、シャッタ板３５を収納位置から突出位置に切り替える。これにより、球供給装置９ａから貯留タンク２４への遊技球の供給が遮断される。シャッタ板３５は、パチンコ機本体１１の後方に向けて下り傾斜となっているので、球供給装置９ａから供給される遊技球は、シャッタ板３５上に落下した後、このシャッタ板３５の下り傾斜面に沿って流下して、パチンコ機１０の背面側に落下する（図５（Ｂ）参照）。なお、パチンコ機１０の背面側に落下した遊技球は、球回収装置９ｂにより回収される。
【００４６】
切替弁３２の球抜き位置への切り替え、及びシャッタ板３５の突出位置へのスライドが完了すると、賞球払出制御部５４は、スプロケット駆動機構３０を制御してスプロケット２８を回転させる。これにより、貯留タンク２４内の遊技球、及び払出装置２６の上流側の案内通路２５内の遊技球が、払出装置２６からその下流側へ排出される。払出装置２６から排出された遊技球は、切替弁３２により排出通路２７に案内された後、球回収装置９ｂにより回収される。スプロケット２８の回転は、店員が所定の停止操作等を行うまで継続するため、貯留タンク２４内及び案内通路２５内の全遊技球が球回収装置９ｂにより回収される。このため、パチンコ機１０の全遊技球を島設備９へ排出することができる。また、シャッタ板３５により貯留タンク２４への遊技球の供給は遮断されているため、遊技球が全て排出された状態を維持することができる。その結果、不正行為による遊技球の獲得を完全に阻止することができる。
【００４７】
また、不正行為判定部５６により不正行為が行われていると判定されたときは、ＬＣＤ１８や、図示しないスピーカ及びＬＥＤランプ等を制御して、ゴト行為が行われていることを店員に報知してもよい。
【００４８】
なお、パチンコ機１０のメンテナンスや交換等を行う際に、遊技球を全てパチンコ機１０から排出する必要がある場合は、パチンコ機１０に設けられた図示しない球抜き操作部材が操作される。この球抜き操作部材が操作されると、上述の図７で説明した遊技球の排出処理と同様の処理が実行される。
【００４９】
上記実施形態では、外部から加えられた磁力の大きさ、外部から加えられた振動の大きさ、及び１分間当たりの賞球の払出し数に基づき、不正行為が行われているか否かを判定しているが、不正行為を検知・判定する方法は、特に限定されず各種方法を用いてよい。
【００５０】
上記実施形態では、不正行為検知時に遊技球が球回収装置９ｂに回収される際の経路と、メンテナンス時に遊技球が球回収装置９ｂに回収される際の経路とが同じであるが、両者は異なっていてもよい。例えば、払出装置２６の装置本体２６ａにおけるスプロケット２８よりも上方位置と、排出通路２７とを別の第２排出通路で接続してもよい。この第２排出通路の装置本体２６ａに接続している側の端部には、例えば、開閉自在な弁が設けられている。弁は、球抜き操作部材が操作されたときに開放される。弁が開放されると、貯留タンク２４内等の遊技球は、第２排出通路内へ導かれた後、排出通路２７を経て球回収装置９ｂにて回収される。
【００５１】
上記実施形態では、不正行為が行われていると判定されたときに、シャッタ板３５を用いて球供給装置９ａから貯留タンク２４への遊技球の供給を遮断しているが、不正行為検知時に貯留タンク２４への遊技球の供給を遮断し、かつ不正行為検知時以外は貯留タンク２４への遊技球の供給を許容するものであれば特に限定はされない。また、例えば、不正行為検知時に球供給装置９ａの作動を停止させることにより、貯留タンク２４への遊技球の供給を遮断するようにしてもよい。
【符号の説明】
【００５２】
９  島設備
１０  パチンコ機
１１  パチンコ機本体
２１  払出し口
２２  受け皿
２４  貯留タンク
２５  案内通路
２６  払出装置（払出手段）
２７  排出通路
２８  スプロケット
３２  切替弁
３５  シャッタ板（遮断手段）
４８  磁力検知センサ（不正行為検知手段）
４９  振動検知センサ（不正行為検知手段）
５４  賞球払出制御部（払出制御手段）
５５  払出球数カウント部（不正行為検知手段）
５７  弁切替制御部（切替制御手段）
５８  シャッタ駆動制御部
【図１】
2011024798.tif 000003
【図２】
2011024798.tif 000004
【図３】
2011024798.tif 000005
【図４】
2011024798.tif 000006
【図５】
2011024798.tif 000007
【図６】
2011024798.tif 000008
【図７】
2011024798.tif 000009